(57)【特許請求の範囲】
【請求項１】
内部ブログと外部ブログとの間にネイバー関係を設定する設定部と、
ネイバー接続サービスに応じて前記ネイバー関係として設定されたブログをユーザに対するネイバーグループに設定し、前記ネイバー関係として設定されたブログに関する情報を提供する提供部と、
ネイバー接続サービスを提供するブログに接続されたネイバー接続サービスを使用していないユーザ端末からネイバー追加要求を受信する受信部と、
前記ネイバー追加要求に応じてネイバー接続サービスを前記ユーザ端末に案内する案内部と、
前記ユーザから前記ネイバー接続サービスが要求されると、前記ネイバー接続サービスを提供するネイバー接続プログラムを前記ユーザ端末にインストールするインストール部と、
を備え、
前記内部ブログは、ネイバー接続サービスシステムを管理する会社が提供するブログサービスに加入したユーザのブログであり、
前記外部ブログは、ネイバー接続サービスシステムを管理しない他社が提供するブログサービスに加入したユーザのブログであり、
前記設定部は、前記インストールされたネイバー接続プログラムによって前記外部ブログとネイバー関係を設定することを特徴とするネイバー接続サービスシステム。
【請求項２】
前記内部ブログを運用してネイバー接続サービスを使用中であるユーザ端末から現在接続中である外部ブログに対するネイバー追加要求を受信する受信部をさらに備え、
前記設定部は、前記受信されたネイバー追加要求に応じて前記現在接続中である外部ブログを前記ユーザに対するネイバーグループに設定することを特徴とする請求項１に記載のネイバー接続サービスシステム。
【請求項３】
ネイバー接続サービスを提供する外部ブログを用いるユーザ端末からネイバー接続サービスを提供する内部ブログに対するネイバー追加要求を受信する受信部をさらに備え、
前記設定部は、前記外部ブログを前記内部ブログのネイバーグループでネイバー関係を設定することを特徴とする請求項１に記載のネイバー接続サービスシステム。
【請求項４】
ネイバー接続サービスを提供する外部ブログを用いるユーザ端末からネイバー接続サービスを使用していない内部ブログに対するネイバー追加要求を受信する受信部と、
前記内部ブログに対してネイバー接続サービスを案内する案内部と、
前記内部ブログを用いるユーザ端末からネイバー接続サービスに対するプログラムのインストールが要求されると、前記ネイバー接続サービスプログラムを前記内部ブログにインストールするインストール部と、
をさらに備え、
前記設定部は、前記インストールされたネイバー接続サービスプログラムに前記外部ブログと前記内部ブログとの間のネイバー関係を設定することを特徴とする請求項１に記載のネイバー接続サービスシステム。
【請求項５】
前記提供部は、前記ブログのユーザが追加したネイバー、前記ユーザをネイバーに追加したネイバー、前記ブログを訪問したユーザを示し、ネイバー接続サービスプログラムによって前記外部ブログで独立に用いられ、前記外部ブログのユーザが他の外部ブログとの接続にも用いられるようにサービスを提供することを特徴とする請求項１に記載のネイバー接続サービスシステム。
【請求項６】
前記提供部は、新規ユーザ数を増やすために持続的にネイバー接続サービスを露出させ、１つのユーザＩＤを用いて複数のネイバー接続サービスプログラムを使用可能にするネイバー接続サービスを提供することを特徴とする請求項１に記載のネイバー接続サービスシステム。
【請求項７】
前記提供部は、前記ネイバー接続サービスに応じてネイバー関係が設定されたユーザの個人情報に対する保安、認証、または公開機能を提供することを特徴とする請求項１に記載のネイバー接続サービスシステム。
【請求項８】
前記提供部は、新規文書お知らせ機能によってユーザが登録したネイバーの新規文書、他人が登録したネイバーの新規文書を確認することができ、ネイバー接続サービスプログラムによってネイバー管理または新規文書管理を行うことのできるネイバー統計機能を提供することを特徴とする請求項１に記載のネイバー接続サービスシステム。
【請求項９】
ユーザ端末からネイバー接続サービスプログラムに対するスクラップが選択されると、前記ネイバー接続サービスプログラムをインストールするためのサイトに移動させ、前記ネイバー接続サービスプログラムをインストールするためのサイトで当該プログラムをインストールしたユーザのプログラムが選択されると、ネイバー接続サービスプログラムインストールサイトで前記ユーザによって選択されたネイバー接続サービスプログラムのインストールページに移動させる移動部と、
前記ネイバー接続サービスプログラムを前記ユーザ端末にインストールするインストール部と、
をさらに備えることを特徴とする請求項１に記載のネイバー接続サービスシステム。
【請求項１０】
内部ブログと外部ブログとの間にネイバー関係を設定し、
ネイバー接続サービスに応じて前記ネイバー関係として設定されたブログをユーザに対するネイバーグループに設定し、前記ネイバー関係として設定されたブログに関する情報を提供すること、
を含み、
前記内部ブログは、ネイバー接続サービスシステムを管理する会社が提供するブログサービスに加入したユーザのブログであり、
前記外部ブログは、ネイバー接続サービスシステムを管理しない他社が提供するブログサービスに加入したユーザのブログであり、
前記内部ブログまたは外部ブログとネイバー関係を設定することは、
ネイバー接続サービスを提供するブログに接続されたネイバー接続サービスを使用していないユーザ端末からネイバー追加要求を受信し、
前記ネイバー追加要求に応じてネイバー接続サービスを前記ユーザ端末に案内し、
前記ユーザから前記ネイバー接続サービスが要求されると、前記ネイバー接続サービスを提供するネイバー接続プログラムを前記ユーザ端末にインストールし、
前記インストールされたネイバー接続プログラムによって前記外部ブログとネイバー関係を設定すること
を含むことを特徴とするネイバー接続サービス方法。
【請求項１１】
前記内部ブログまたは外部ブログとネイバー関係を設定することは、
前記内部ブログを運用してネイバー接続サービスを使用中であるユーザ端末から現在接続中である外部ブログに対するネイバー追加要求を受信し、
前記受信されたネイバー追加要求に応じて前記現在の接続中である外部ブログを前記ユーザに対するネイバーグループに設定すること、
を含むことを特徴とする請求項１０に記載のネイバー接続サービス方法。
【請求項１２】
前記内部ブログにまたは外部ブログとネイバー関係を設定することは、
ネイバー接続サービスを提供する外部ブログを用いるユーザ端末からネイバー接続サービスを提供する内部ブログに対するネイバー追加要求を受信し、
前記外部ブログを前記内部ブログのネイバーグループでネイバー関係を設定すること、
を含むことを特徴とする請求項１０に記載のネイバー接続サービス方法。
【請求項１３】
前記内部ブログまたは外部ブログとネイバー関係を設定することは、
ネイバー接続サービスを提供する外部ブログを用いるユーザ端末からネイバー接続サービスを使用していない内部ブログに対するネイバー追加要求を受信し、
前記内部ブログに対してネイバー接続サービスを案内し、
前記内部ブログを用いるユーザ端末からネイバー接続サービスに対するプログラムインストールが要求されると、前記ネイバー接続サービスプログラムを前記内部ブログにインストールし、
前記インストールされたネイバー接続サービスプログラムに前記外部ブログと前記内部ブログとの間のネイバー関係を設定すること、
を含むことを特徴とする請求項１０に記載のネイバー接続サービス方法。
【請求項１４】
前記ネイバー接続サービスは、ブログのユーザが追加したネイバー、前記ユーザをネイバーに追加したネイバー、前記ブログを訪問したユーザを示し、ネイバー接続サービスプログラムによって前記外部ブログで独立に用いられ、前記外部ブログのユーザが他の外部ブログとの接続にも用いられることを特徴とする請求項１０に記載のネイバー接続サービス方法。
【請求項１５】
前記ネイバー接続サービスは、新規ユーザ数を増やすために持続的に露出し、１つのユーザＩＤで複数のネイバー接続サービスプログラムを使用可能であることを特徴とする請求項１０に記載のネイバー接続サービス方法。
【請求項１６】
前記ネイバー接続サービスは、前記ネイバー接続サービスに応じてネイバー関係が設定されたユーザの個人情報に対する保安、認証、または公開機能を提供することを特徴とする請求項１０に記載のネイバー接続サービス方法。
【請求項１７】
前記ネイバー接続サービスは、新規文書お知らせ機能によってユーザが登録したネイバーの新規文書、他人が登録したネイバーの新規文書を確認することができ、ネイバー接続サービスプログラムによってネイバー管理または新規文書管理を行なうことができ、ネイバー統計機能を提供することを特徴とする請求項１０に記載のネイバー接続サービス方法。
【請求項１８】
ユーザ端末からネイバー接続サービスプログラムに対するスクラップが選択されると、前記ネイバー接続サービスプログラムをインストールするためのサイトに移動し、
前記ネイバー接続サービスプログラムをインストールするためのサイトで当該プログラムをインストールしたユーザのプログラムが選択されると、ネイバー接続サービスプログラムインストールサイトで前記ユーザによって選択されたネイバー接続サービスプログラムのインストールページに移動し、
前記ネイバー接続サービスプログラムを前記ユーザ端末にインストールすること、
を含むことを特徴とする請求項１０に記載のネイバー接続サービス方法。
【請求項１９】
請求項１０に記載の方法を実行するためのプログラムが記録されていることを特徴とするコンピュータで読み出し可能な記録媒体。
【発明の詳細な説明】
【技術分野】
【０００１】
本発明は、ネイバー接続（ｎｅｉｇｈｂｏｒ  ｃｏｎｎｅｃｔ）サービスシステムおよび方法に関し、特に内部ブログと外部ブログとの間のネイバー接続サービスを提供するネイバー接続サービスシステムおよび方法に関する。
【背景技術】
【０００２】
一般的にブログ（ｂｌｏｇ）は、ウェブ（ｗｅｂ）とログ（ｌｏｇ）の合成語であり、ユーザが自身の関心事に応じて自由に掲示板にメッセージを投稿するウェブサイトである。このようなブログは個人ウェブサイトであるが、ユーザ間の活発な交流のためにネイバー機能を適用して関心事の類似するユーザ同士間のブログ訪問およびブログ更新の現況を容易に把握することのできるサービスが提供される。
【０００３】
しかし、従来のブログは、同一のブログサービスを提供するサイトに加入した加入者にのみネイバー機能を提供するため、ユーザが１つのサイトに提供するブログのみならず他のサイトで提供するブログに加入したり、あるいは他のサイトでサービスするブログに関する情報を提供できないという制約がある。
【０００４】
したがって、自社のサイトでサービスするブログのみならず、他社のサイトでサービスするブログに関する情報までも提供することのできる拡張された概念のブログサービスが要求されている。
【発明の概要】
【発明が解決しようとする課題】
【０００５】
本発明は、内部ブログまたは外部ブログ間のネイバー接続サービスを提供するネイバー接続サービスシステムおよび方法を提供する。
【０００６】
また、本発明は、ブログのユーザが追加したネイバー、ユーザを追加したネイバー、訪問したブロガーを表すネイバー接続サービスシステムおよび方法を提供する。
【０００７】
また、本発明は、ネイバー接続サービスプログラムを外部ブログで独立に使用することのできるネイバー接続サービスシステムおよび方法を提供する。
【０００８】
また、本発明は、外部ブロガーが他の外部ブログとの接続にもネイバー接続サービスを使用することのできるネイバー接続サービスシステムおよび方法を提供する。
【０００９】
また、本発明は、外部ブロガーの要望と外部ブログのツールに適するように様々な形態でネイバー接続サービスシステムおよび方法を提供する。
【００１０】
また、本発明は、新規生成数を増加させるため、ネイバー接続サービスを持続的に露出させるネイバー接続サービスシステムおよび方法を提供する。
【００１１】
また、本発明は、ネイバー追加機能を単純化することによって、より多くのネイバーを追加するためのネイバー接続サービスシステムおよび方法を提供する。
【００１２】
また、本発明は、１つのＩＤで複数のネイバー接続サービスプログラムを用いることを可能にするネイバー接続サービスシステムおよび方法を提供する。
【００１３】
また、本発明は、ネイバー接続サービスを容易に広げながら、個人ネイバー情報であることから保安、認証、公開機能の強化されたネイバー接続サービスシステムおよび方法を提供する。
【００１４】
また、本発明は、新規文書お知らせ機能によってユーザが登録したネイバー新規文書、他人が登録したネイバー新規文書を容易に確認するためのネイバー接続サービスシステムおよび方法を提供する。
【００１５】
また、本発明は、開放されたネイバー管理によりネイバー接続サービスプログラムを提供してネイバー管理および新規文書管理を容易にするネイバー接続サービスシステムおよび方法を提供する。
【００１６】
また、本発明は、ネイバー統計機能を提供してネイバー統計機能を用いた新しい付加価値サービスを提供するネイバー接続サービスシステムおよび方法を提供する。
【課題を解決するための手段】
【００１７】
本発明の一実施形態に係るネイバー接続サービスシステムは、内部ブログまたは外部ブログ間のネイバー関係を設定する設定部と、ネイバー接続サービスに応じてネイバー関係として設定されたブログに関する情報を提供する提供部とを備え、内部ブログは自社サービスに加入したユーザのブログであり、外部ブログは他社サービスに加入したユーザのブログであることを特徴とする。
【００１８】
本発明の一側面によると、内部ブログを運用してネイバー接続サービスを使用中であるユーザ端末から現在接続中である外部ブログに対するネイバー追加要求を受信する受信部をさらに備え、設定部は、受信されたネイバー追加要求に応じて現在接続中である外部ブログをユーザに対するネイバーグループに設定してもよい。
【００１９】
また、本発明の一側面によると、ネイバー接続サービスを提供するブログに接続されたネイバー接続サービスを使用していないユーザ端末からネイバー追加要求を受信する受信部と、ネイバー追加要求に応じてネイバー接続サービスをユーザ端末に案内する案内部と、ユーザからネイバー接続サービスを要求されると、ネイバー接続サービスを提供するネイバー接続プログラムをユーザ端末にインストールするインストール部とをさらに備え、設定部は、インストールされたネイバー接続プログラムによって外部ブログとネイバー関係を設定してもよい。
【００２０】
また、本発明の一側面によると、ネイバー接続サービスを提供する外部ブログを用いるユーザ端末からネイバー接続サービスを提供する内部ブログに対するネイバー追加要求を受信する受信部をさらに備え、設定部は、外部ブログに内部ブログのネイバーグループでネイバー関係を設定してもよい。
【００２１】
また、本発明の一側面によると、ネイバー接続サービスを提供する外部ブログを用いるユーザ端末からネイバー接続サービスを使用していない内部ブログに対するネイバー追加要求を受信する受信部と、内部ブログに対してネイバー接続サービスを案内する案内部と、内部ブログを用いるユーザ端末からネイバー接続サービスに対するプログラムインストールが要求されると、ネイバー接続サービスプログラムを内部ブログにインストールするインストール部とをさらに備え、設定部は、インストールされたネイバー接続サービスプログラムに外部ブログと内部ブログとの間のネイバー関係を設定してもよい。
【００２２】
また、本発明の一側面によると、提供部は、ブログのユーザが追加したネイバー、ユーザをネイバーに追加したネイバー、ブログを訪問したユーザを示し、ネイバー接続サービスプログラムによって外部ブログで独立に用いられ、外部ブログのユーザが他の外部ブログとの接続にも用いられるようにサービスを提供してもよい。
【００２３】
また、本発明の一側面によると、提供部は、新規ユーザ数を増やすために持続的にネイバー接続サービスを露出させ、決められた基準よりも多くのネイバーを追加するためにネイバー追加機能を既存のサービスよりも単純化して提供し、１つのユーザＩＤを用いて複数のネイバー接続サービスプログラムを使用可能とするネイバー接続サービスを提供してもよい。
【００２４】
また、本発明の一側面によると、提供部は、ネイバー接続サービスに応じてネイバー関係が設定されたユーザの個人情報に対する保安、認証、または公開機能を提供してもよい。
【００２５】
また、本発明の一側面によると、提供部は、新規文書お知らせ機能によってユーザが登録したネイバーの新規文書、他人が登録したネイバーの新規文書を確認することができ、ネイバー接続サービスプログラムによってネイバー管理または新規文書管理を行うことのできるネイバー統計機能を提供してもよい。
【００２６】
また、本発明の一側面によると、ユーザ端末からネイバー接続サービスプログラムに対するスクラップが選択されると、ネイバー接続サービスプログラムをインストールするためのサイトに移動させ、ネイバー接続サービスプログラムをインストールするためのサイトで当該プログラムをインストールしたユーザのプログラムが選択されると、ネイバー接続サービスプログラムインストールサイトでユーザによって選択されたネイバー接続サービスプログラムのインストールページに移動させる移動部と、ネイバー接続サービスプログラムをユーザ端末にインストールするインストール部とをさらに備えてもよい。
【００２７】
本発明の一側面に係るネイバー接続サービス方法は、内部ブログまたは外部ブログ間のネイバー関係を設定し、ネイバー接続サービスに応じてネイバー関係として設定されたブログに関する情報を提供することを含み、内部ブログは自社サービスに加入したユーザのブログであり、外部ブログは他社サービスに加入したユーザのブログであることを特徴とする。
【００２８】
本発明の一側面によると、内部ブログまたは外部ブログとネイバー関係を設定することは、内部ブログを運用してネイバー接続サービスを使用中であるユーザ端末から現在接続中である外部ブログに対するネイバー追加要求を受信し、受信されたネイバー追加要求に応じて現在接続中である外部ブログをユーザに対するネイバーグループに設定することを含んでもよい。
【００２９】
また、本発明の一側面によると、内部ブログまたは外部ブログとネイバー関係を設定することは、ネイバー接続サービスを提供するブログに接続されたネイバー接続サービスを使用していないユーザ端末からネイバー追加要求を受信し、ネイバー追加要求に応じてネイバー接続サービスをユーザ端末に案内し、ユーザからネイバー接続サービスが要求されると、ネイバー接続サービスを提供するネイバー接続プログラムをユーザ端末にインストールし、インストールされたネイバー接続プログラムによって外部ブログとネイバー関係を設定することを含んでもよい。
【００３０】
また、本発明の一側面によると、内部ブログにまたは外部ブログとネイバー関係を設定することは、ネイバー接続サービスを提供する外部ブログを用いるユーザ端末からネイバー接続サービスを提供する内部ブログに対するネイバー追加要求を受信し、外部ブログを内部ブログのネイバーグループでネイバー関係を設定するステップとを含んでもよい。
【００３１】
また、本発明の一側面によると、内部ブログまたは外部ブログとネイバー関係を設定することは、ネイバー接続サービスを提供する外部ブログを用いるユーザ端末からネイバー接続サービスを使用していない内部ブログに対するネイバー追加要求を受信し、内部ブログに対してネイバー接続サービスを案内し、内部ブログを用いるユーザ端末からネイバー接続サービスに対するプログラムインストールが要求されると、ネイバー接続サービスプログラムを内部ブログにインストールし、前記インストールされたネイバー接続サービスプログラムに外部ブログと内部ブログとの間のネイバー関係を設定することを含んでもよい。
【００３２】
また、本発明の一側面によると、ネイバー接続サービスは、ブログのユーザが追加したネイバー、ユーザをネイバーに追加したネイバー、ブログを訪問したユーザを示し、ネイバー接続サービスプログラムによって外部ブログで独立に用いられ、外部ブログのユーザが他の外部ブログとの接続に用いられてもよい。
【００３３】
また、本発明の一側面によると、ネイバー接続サービスは、新規ユーザ数を増やすために持続的に露出し、決められた基準よりも多くのネイバーを追加するためにネイバー追加機能を既存のサービスよりも単純化し、１つのユーザＩＤで複数のネイバー接続サービスプログラムを用いてもよい。
【００３４】
また、本発明の一側面によると、ネイバー接続サービスは、ネイバー接続サービスに応じてネイバー関係が設定されたユーザの個人情報に対する保安、認証、または公開機能を提供してもよい。
【００３５】
また、本発明の一側面によると、前記ネイバー接続サービスは、新規文書お知らせ機能によってユーザが登録したネイバーの新規文書、他人が登録したネイバーの新規文書を確認することができ、ネイバー接続サービスプログラムによってネイバー管理または新規文書管理を行なうことができ、ネイバー統計機能を提供してもよい。
【００３６】
また、本発明の一側面によると、ユーザ端末からネイバー接続サービスプログラムに対するスクラップが選択されると、ネイバー接続サービスプログラムをインストールするためのサイトに移動し、ネイバー接続サービスプログラムをインストールするためのサイトで当該プログラムをインストールしたユーザのプログラムが選択されると、ネイバー接続サービスプログラムインストールサイトでユーザによって選択されたネイバー接続サービスプログラムのインストールページに移動し、ネイバー接続サービスプログラムをユーザ端末にインストールすることを含んでもよい。
【発明の効果】
【００３７】
本発明によると、内部ブログまたは外部ブログ間のネイバー接続サービスを提供するネイバー接続サービスシステムおよび方法を提供することができる。
【００３８】
また、本発明によると、ブログのユーザが追加したネイバー、ユーザを追加したネイバー、訪問したブロガーを表すネイバー接続サービスシステムおよび方法を提供することができる。
【００３９】
また、本発明によると、ネイバー接続サービスプログラムを外部ブログで独立に使用できるネイバー接続サービスシステムおよび方法を提供することができる。
【００４０】
また、本発明によると、外部ブロガーが他の外部ブログとの接続にもネイバー接続サービスを使用できるネイバー接続サービスシステムおよび方法を提供することができる。
【００４１】
また、本発明によると、外部ブロガーの要望と外部ブログのツールに適するように様々な形態でネイバー接続サービスシステムおよび方法を提供することができる。
【００４２】
また、本発明によると、新規生成数を増加させるため、ネイバー接続サービスを持続的に露出させるネイバー接続サービスシステムおよび方法を提供することができる。
【００４３】
また、本発明によると、ネイバー追加機能を単純化することによって、より多くのネイバーを追加するためのネイバー接続サービスシステムおよび方法を提供することができる。
【００４４】
また、本発明によると、１つのＩＤで複数のネイバー接続サービスプログラムを用いることを可能にするネイバー接続サービスシステムおよび方法を提供することができる。
【００４５】
また、本発明によると、ネイバー接続サービスを容易に広げながら、個人ネイバー情報であることから保安、認証、公開機能の強化されたネイバー接続サービスシステムおよび方法を提供することができる。
【００４６】
また、本発明によると、新規文書お知らせ機能によってユーザが登録したネイバー新規文書、他人が登録したネイバー新規文書を容易に確認するためのネイバー接続サービスシステムおよび方法を提供することができる。
【００４７】
また、本発明によると、開放されたネイバー管理によりネイバー接続サービスプログラムを提供してネイバー管理および新規文書管理を容易にするネイバー接続サービスシステムおよび方法を提供することができる。
【００４８】
また、本発明によると、ネイバー統計機能を提供してネイバー統計機能を用いた新しい付加価値サービスを提供するネイバー接続サービスシステムおよび方法を提供することができる。
【図面の簡単な説明】
【００４９】
【図１】本発明の実施形態に係るネイバー接続サービスシステムとユーザ端末との間の連動関係を示す図である。
【図２】本発明の一実施形態に係るネイバー接続サービスシステムの構成を示す図である。
【図３】本発明の他の実施形態に係るネイバー接続サービスシステムの構成を示す図である。
【図４】本発明のさらに他の実施形態に係るネイバー接続サービスシステムの構成を示す図である。
【図５】本発明に係るネイバー接続サービスを使用中である第１ユーザがネイバー接続サービスの提供されるブログに対してネイバー追加を要請する場合の一例を示す図である。
【図６】本発明に係るネイバー接続サービスを未使用である第２ユーザがネイバー接続サービスの提供されるブログに対してネイバー追加を要請する場合の一例を示す図である。
【図７】本発明に係るネイバー接続サービスを使用中である外部ブログの第３ユーザがネイバー接続サービスの提供されるブログに対してネイバー追加を要請する場合の一例を示す図である。
【図８】本発明に係るネイバー接続サービスを未使用である外部ブログの第４ユーザがネイバー接続サービスの提供されるブログに対してネイバー追加を要請する場合の一例を示す図である。
【図９】本発明に係るネイバー接続サービスの全体構成を示す図である。
【図１０】本発明に係るネイバー接続サービスに応じてブログをネイバーに追加要求した場合、ログインされなかった場合にログインを要求する画面の一例を示す図である。
【図１１】本発明に係るネイバー接続サービスに応じてブログをネイバーに追加する場合、ログイン状態である場合に追加したネイバーグループを選択する画面の一例を示す図である。
【図１２】本発明に係るネイバー接続サービスにおいてユーザをネイバーに追加したブログの分布を示す図である。
【図１３】本発明に係るネイバー接続サービスにおいてネイバーコネクトウィジェットのもっと見るページで新規文書閲覧の一例を示す図である。
【図１４】本発明の実施形態に係るネイバー接続サービス方法の動作を示す図である。
【図１５】本発明に係るネイバー接続サービスにおいてブログ間のネイバー関係を設定するステップを具体化した一例を示す図である。
【発明を実施するための形態】
【００５０】
以下、本発明の好ましい実施形態に係るネイバー接続サービスシステムおよび方法を添付の図面を参照しながら詳説する。
【００５１】
図１は、本発明の実施形態に係るネイバー接続サービスシステムとユーザ端末との間の連動関係を示す図である。
【００５２】
図１を参照すると、本発明の実施形態に係るネイバー接続サービスシステム１００は、ネットワーク１１０によって接続されたユーザ端末１２０の要求に応じて内部ブログまたは外部ブログ間のネイバー関係を設定する。内部ブログは、ネイバー接続サービスシステム１００が直接サービスを管理する自社サービスに加入したユーザのブログであり、外部ブログは、ネイバー接続サービスシステム１００が直接サービスを管理しない他社サービスに加入したユーザのブログである。すなわち、ネイバー接続サービスシステム１００は、ネットワーク１１０によって接続されたユーザ端末１２０から現在の接続されたブログに対するネイバー関係設定要求に応じて、ユーザ端末１２０のユーザが管理するブログに接続されたブログ間のネイバー関係を設定する。
【００５３】
また、ネイバー接続サービスシステム１００は、ネイバー接続サービスに応じてネイバー関係として設定されたブログに関する情報をネットワーク１１０によって接続されたユーザ端末１２０に提供する。すなわち、ネイバー接続サービスシステム１００は、ネイバー接続サービスに応じてユーザが追加したネイバー、ユーザを追加したネイバー、訪問したブログ、ネイバーの新規更新内容などのように、ネイバー関係として設定されたブログに関する情報をネットワーク１１０によって接続されたユーザ端末１２０に提供する。
【００５４】
図２は、本発明の一実施形態に係るネイバー接続サービスシステムの構成を示す図である。
【００５５】
図２を参照すると、本発明の一実施形態に係るネイバー接続サービスシステム２００は、受信部２１０、設定部２２０、および提供部２３０を備える。
【００５６】
受信部２１０は、内部ブログを運用してネイバー接続サービスを使用中であるユーザ端末から現在接続中である外部ブログに対するネイバー追加要求を受信する。
【００５７】
設定部２２０は、内部ブログまたは外部ブログ間のネイバー関係を設定する。すなわち、設定部２２０は、受信されたネイバー追加要求に応じて現在接続中である外部ブログをユーザに対するネイバーグループに設定する。
【００５８】
提供部２３０は、ネイバー接続サービスに応じて設定されたネイバー関係として設定されたブログに関する情報を提供する。
【００５９】
一例として、提供部２３０は、ブログのユーザが追加したネイバー、ユーザをネイバーに追加したネイバー、ブログを訪問したユーザを示し、ネイバー接続サービスプログラムによって外部ブログで独立に用いられ、外部ブログのユーザが他の外部ブログとの接続にも用いられるようサービスを提供してもよい。
【００６０】
他の一例として、提供部２３０は、新規ユーザ数を増やすために持続的にネイバー接続サービスを露出し、決められた基準よりも多くのネイバーを追加するためにネイバー追加機能を既存のサービスよりも単純化して提供してもよい。また、提供部２３０は、１つのユーザＩＤを用いて複数のネイバー接続サービスプログラムが使用できるようにネイバー接続サービスを提供してもよい。
【００６１】
また他の一例として、提供部１３０は、ネイバー接続サービスに応じてネイバー関係が設定されたユーザの個人情報に対する保安、認証、または公開機能を提供してもよい。
【００６２】
また他の一例として、提供部１３０は、新規文書お知らせ機能によってユーザが登録したネイバーの新規文書、他人が登録したネイバーの新規文書を確認してもよく、ネイバー接続サービスプログラムによってネイバー管理または新規文書管理を行なってもよく、ネイバー統計機能を提供してもよい。
【００６３】
図３は、本発明の他の実施形態に係るネイバー接続サービスシステムの構成を示す図である。
【００６４】
図３を参照すると、本発明の他の実施形態に係るネイバー接続サービスシステム３００は、受信部３１０、案内部３２０、インストール部３３０、設定部３４０、および提供部３５０を備える。
【００６５】
受信部３１０は、ネイバー接続サービスを提供するブログに接続されたネイバー接続サービスを使用していないユーザ端末からネイバー追加要求を受信する。
【００６６】
案内部３２０は、ネイバー追加要求に応じてネイバー接続サービスをユーザ端末に案内する。
【００６７】
インストール部３３０は、ユーザからネイバー接続サービスが要求されると、ネイバー接続サービスを提供するネイバー接続プログラムをユーザ端末にインストールする。
【００６８】
設定部３４０は、インストールされたネイバー接続プログラムによってユーザのブログとユーザ端末の接続されたブログとの間のネイバー関係を設定する。
【００６９】
提供部３５０は、ネイバー接続サービスに応じて設定されたネイバー関係として設定されたブログに関する情報を提供する。
【００７０】
図４は、本発明のさらに他の実施形態に係るネイバー接続サービスシステムの構成を示す図である。
【００７１】
図４を参照すると、本発明のさらに他の実施形態に係るネイバー接続サービスシステム４００は、受信部４１０、案内部４２０、移動部４３０、インストール部４４０、設定部４５０、および提供部４６０を備える。
【００７２】
受信部４１０は、ネイバー接続サービスを提供するブログに接続されたネイバー接続サービスを使用していないユーザ端末からネイバー追加要求を受信する。
【００７３】
案内部４２０は、ネイバー追加要求に応じてネイバー接続サービスをユーザ端末に案内する。
【００７４】
移動部４３０は、ユーザ端末からネイバー接続サービスプログラムに対するスクラップが選択されると、ネイバー接続サービスプログラムをインストールするためのサイトに移動させる。また、移動部４３０は、ネイバー接続サービスプログラムをインストールするためのサイトで当該プログラムをインストールしたユーザのプログラムが選択されると、ネイバー接続サービスプログラムインストールサイトでユーザによって選択されたネイバー接続サービスプログラムのインストールページに移動させる。
【００７５】
インストール部４４０は、ネイバー接続サービスプログラムをユーザ端末にインストールする。すなわち、インストール部４４０は、ユーザによって選択されたネイバー接続サービスプログラムをユーザ端末にインストールする。
【００７６】
設定部４５０は、インストールされたネイバー接続プログラムによって外部ブログとネイバー関係を設定する。
【００７７】
提供部４６０は、ネイバー接続サービスに応じて設定されたネイバー関係として設定されたブログに関する情報を提供する。
【００７８】
図５は、本発明に係るネイバー接続サービスを使用中である第１ユーザがネイバー接続サービスの提供されるブログに対してネイバー追加を要請する場合の一例を示す図である。
【００７９】
図１および図５を参照すると、ネイバー接続サービスシステム１００は、ネットワーク１１０によって接続されたネイバー接続サービスを使用中である第１ユーザ５００のユーザ端末１２０からネイバー接続サービスが提供されたブログ５１０に対してネイバー追加５２０の要求を受信する。
【００８０】
ネイバー接続サービスシステム１００は、第１ユーザ５００がログイン状態５３０である場合、ネイバーグループ設定ポップアップ５６０のメニューを第１ユーザ５００のユーザ端末１２０に提供する。
【００８１】
一方、ネイバー接続サービスシステム１００は、第１ユーザ５００がログインしていない状態５４０である場合にログインおよびネイバー接続サービス案内ポップアップ５４５のメニューを提供し、第１ユーザ５００がログイン５５０すると、ネイバーグループ設定ポップアップ５６０のメニューを第１ユーザ５００のユーザ端末１２０に提供する。
【００８２】
ネイバー接続サービスシステム１００は、ネイバーグループ設定が完了すると、ネイバー追加完了案内ポップアップ５７０のメニューをネットワーク１１０によって第１ユーザ５００のユーザ端末１２０に提供し、第１ユーザ５００がマイブログへ行くメニューを選択すると、マイブログへ行く５８０のサービスをネットワーク１１０によって第１ユーザ５００のユーザ端末１２０に提供する。
【００８３】
図６は、本発明に係るネイバー接続サービスを未使用である第２ユーザがネイバー接続サービスの提供されるブログに対してネイバー追加を要請する場合の一例を示す図である。
【００８４】
図１および図６を参照すると、ネイバー接続サービスシステム１００は、ネイバー接続サービスを未使用である第２ユーザ６００のユーザ端末１２０がネットワーク１１０によって接続されたネイバー接続サービスの提供されたブログ６１０にネイバー追加６１１要求を受信する。
【００８５】
ネイバー接続サービスシステム１００は、ネイバー追加要求に応じて第２ユーザ６００がログイン状態６１２である場合、ネイバー追加およびネイバー接続サービス案内ポップアップ６１６をネットワーク１１０によって第２ユーザ６００のユーザ端末１２０に提供する。
【００８６】
ネイバー接続サービスシステム１００は、ネイバー追加要求に応じて第２ユーザ６００がログインしていない状態６１３である場合、ログインおよびネイバー接続サービス案内ポップアップ６１４をネットワーク１１０によって第２ユーザ６００のユーザ端末１２０に提供する。
【００８７】
ネイバー接続サービスシステム１００は、ネイバー接続サービスプログラムインストールページ内部／外部（新規ウィンドウ）６１７をネットワーク１１０によって第２ユーザ６００のユーザ端末１２０に提供し、マイブログにネイバー接続サービスプログラムを装着６１８を第２ユーザ６００のユーザ端末１２０に提供し、第２ユーザ６００の要求に応じてマイブログへ行く６２１を提供する。
【００８８】
ネイバー接続サービスシステム１００は、ネイバーグループ設定ポップアップ６１９によってブログ間のネイバー関係が設定されると、ネイバー追加完了およびネイバー接続サービス案内ポップアップ６２０をネットワーク１１０によって第２ユーザ６００のユーザ端末１２０に提供し、第２ユーザ６００の要求に応じてマイブログへ行く６２１を提供する。
【００８９】
ネイバー接続サービスシステム１００は、ネイバー接続サービスプログラムスクラップ６２２をネットワーク１１０によってネイバー接続サービスが提供されたブログ６１０に接続された第２ユーザ６００のユーザ端末１２０に提供する。
【００９０】
ネイバー接続サービスシステム１００は、ネットワーク１１０によってネイバー接続サービスを未使用である第２ユーザ６００のユーザ端末１２０が接続されると、ネイバー接続サービスプロモーションおよび公知６３０を提供する。
【００９１】
ネイバー接続サービスシステム１００は、ネイバー接続サービスプロモーションにより自社ブログに直ちにインストール６３１機能を提供し、ログインしていない時にログインウィンドウ６３４を提供して、第２ユーザがログイン状態６３３でプログラムが自動反映完了した状態に第２ユーザのブログ管理かつレイアウト管理（新規ウィンドウ）６３５を提供する。
【００９２】
ネイバー接続サービスシステム１００は、詳細インストールおよび他のブログインストール６３２も提供し、ネイバー接続サービスプログラムインストールページ内部／外部新規ウィンドウ６１７、およびマイブログにネイバー接続サービスプログラムを装着６１８を行った後、マイブログへ行く６２１をネットワーク１１０によって第２ユーザ６００のユーザ端末１２０に提供する。
【００９３】
図７は、本発明に係るネイバー接続サービスを使用中である外部ブログの第３ユーザがネイバー接続サービスの提供されるブログに対してネイバー追加を要請する場合の一例を示す図である。
【００９４】
図１および図７を参照すると、ネイバー接続サービスシステム１００は、ネットワーク１１０によって自社サービスに加入していない外部ブログユーザである第３ユーザ７００のユーザ端末１２０からネイバー接続サービスが提供されたブログ７１０に対するネイバー追加７２０の要求を受信する。
【００９５】
ネイバー接続サービスシステム１００は、ログインしていない状態７２２である場合、ログインおよびネイバー接続サービス案内ポップアップ７２３をネットワーク１１０によって接続された第３ユーザ７００のユーザ端末１２０に提供する。
【００９６】
ネイバー接続サービスシステム１００は、ネットワーク１１０によって接続されたユーザ端末１２０の第３ユーザ７００がログイン７２４すると、ログイン状態７２１でネイバーグループ設定ポップアップ７２５をネットワーク１１０によって接続された第３ユーザ７００のユーザ端末１２０に提供し、第３ユーザ７００のユーザ端末１２０から要求に応じてマイブログへ行く７２７のサービスを提供する。
【００９７】
図８は、本発明に係るネイバー接続サービスを未使用である外部ブログの第４ユーザがネイバー接続サービスの提供されるブログに対してネイバー追加を要請する場合の一例を示す図である。
【００９８】
図１および図８を参照すると、ネイバー接続サービスシステム１００は、外部ブログユーザとしてネイバー接続サービスを未使用である第４ユーザ８００のユーザ端末１２０がネットワーク１１０によって接続されたネイバー接続サービスの提供されたブログ８１０にネイバー追加８２０要求を受信する。
【００９９】
ネイバー接続サービスシステム１００は、ネイバー追加要求に応じて第４ユーザ８００がログインしていない状態８２２である場合、ログインおよびネイバー接続サービス案内ポップアップ８２４をネットワーク１１０によって第４ユーザ８００のユーザ端末１２０に提供する。
【０１００】
ネイバー接続サービスシステム１００は、ネイバー追加要求に応じて第４ユーザ８００がログイン状態８２３またはログイン８２５した場合、ネイバーグループ設定ポップアップ８２７とネイバー追加およびネイバー接続サービス案内ポップアップ８２６をネットワーク１１０によって第４ユーザ８００のユーザ端末１２０に提供する。
【０１０１】
ネイバー接続サービスシステム１００は、ネイバー接続サービスプログラムインストールページ内部／外部（新規ウィンドウ）８２９をネットワーク１１０によって第４ユーザ８００のユーザ端末１２０に提供し、マイブログにネイバー接続サービスプログラムを装着８３０を第４ユーザ８００のユーザ端末１２０に提供し、第４ユーザ８００の要求に応じてマイブログへ行く８３１を提供する。
【０１０２】
ネイバー接続サービスシステム１００は、ネイバーグループ設定ポップアップ８２７によってブログ間のネイバー関係が設定されると、ネイバー追加完了およびネイバー接続サービス案内ポップアップ８２８をネットワーク１１０によって第４ユーザ８００のユーザ端末１２０に提供し、第４ユーザ８００の要求に応じてマイブログへ行く８３１を提供する。
【０１０３】
ネイバー接続サービスシステム１００は、ネイバー接続サービスプログラムスクラップ８２１をネットワーク１１０によってネイバー接続サービスが提供されたブログ８１０に接続された第４ユーザ８００のユーザ端末１２０に提供し、ネイバー接続サービスプログラムインストールページ内部／外部新規ウィンドウ８２９を提供し、マイブログにネイバー接続サービスプログラムを装着８３０を提供してマイブログへ行く８３１を提供する。
【０１０４】
ネイバー接続サービスシステム１００は、ネットワーク１１０によってネイバー接続サービスを未使用中である第４ユーザ８００のユーザ端末１２０が接続されると、ネイバー接続サービスプロモーションおよび公知８４０を提供する。
【０１０５】
ネイバー接続サービスシステム１００は、ネイバー接続サービスプロモーションによって詳細インストールおよび他のブログインストール８４１機能を提供し、ネイバー接続サービスプログラムインストールページ内部／外部新規ウィンドウ８２９を提供し、マイブログにネイバー接続サービスプログラムを装着８３０を提供してマイブログへ行く８３１を提供する。
【０１０６】
図９は、本発明に係るネイバー接続サービスの全体構成を示す図である。
【０１０７】
図９を参照すると、ネイバー接続サービス９００は、ネイバー追加９１０、ユーザが追加したネイバー（私が追加したネイバー）９２０、ユーザを追加したネイバー（私を追加したネイバー）９３０、および訪問者リスト９４０を提供し、ネイバーコネクトウィジェットでシンプルウィジェット９５０、新規文書ウィジェット９６０、および基本ウィジェットを提供してもよい。
【０１０８】
一例として、ネイバー接続サービス９００は、ネイバーコネクトウィジェット９７１がブログ９７０にコードとして挿入され、コネクトウィジェット生成ページ９８０でネイバーコネクトウィジェット生成９８１が加入者のＩＤごとに生成されてもよい。
【０１０９】
一例として、ネイバー接続サービス９００は、ネイバー新規文書閲覧９１１、ネイバーリスト細部ページ（ユーザが追加したネイバー、ユーザを追加したネイバー）９９２、開放されたネイバー管理９９３、およびウィジェット管理９９４を含むもっと見るページ９９０を提供してもよい。
【０１１０】
図１０は、本発明に係るネイバー接続サービスに応じてブログをネイバーに追加要求した場合、ログインされなかった場合にログインを要求する画面の一例を示す図である。
【０１１１】
図１０を参照すると、ネイバー接続サービスは、ネイバーコネクト１０００としてユーザが追加したネイバー（私が追加したネイバー）１０１１、ユーザを追加したネイバー（私を追加したネイバー）１０１２、訪問したブロガー１０１３情報を確認してもよく、管理１０２０およびスクラップ１０３０メニューを含む。ネイバーコネクト１０００は、ネイバー人数１０４０、全体ネイバー１０５０、ネイバーブログイメージ１０６１、ネイバーブログ名１０６２、新規文書１０６３、およびこのブログをネイバーに追加１０７０の機能を含む。ネイバー人員１０４０はユーザが追加したネイバーまたはユーザを追加したネイバーの数であってもよく、全体ネイバー１０５０は全体ネイバーをどのように羅列するかを選択するメニューであり、ネイバーブログイメージ１０６１はネイバーブログの代表イメージであり、ネイバーブログ名１０６２はネイバーブログの名称であり、新規文書１０６３はネイバーブログの新規文書掲示の有無を表示してもよい。このブログをネイバーに追加１０７０は、ネイバー接続サービスのために当該ブログをネイバーに追加する機能を提供してもよい。
【０１１２】
ネイバー接続サービスシステム１００は、このブログをネイバーに追加１０７０メニューが選択された場合、当該ユーザがログインしていないときにログイン画面１０８０をネットワーク１１０によってユーザ端末１２０に提供する。ログイン画面１０８０は、ＩＤ入力ウィンドウ１０８１、パスワード入力ウィンドウ１０８２、およびログイン１０８３メニューを含む。ネイバー接続サービスシステム１００は、ネットワーク１１０によって接続されたユーザ端末１２０からＩＤ入力ウィンドウ１０８１でＩＤの入力を受け、パスワード入力ウィンドウ１０８２でパスワードの入力を受け、ログインメニュー１０８３が選択されると、入力されたＩＤおよびパスワードでユーザをログインする。ネイバー接続サービスシステム１００は、ＩＤまたはパスワードのエラーが発生した場合、ログイン再確認要求ウィンドウをネットワーク１１０によって接続されたユーザ端末１２０に提供してもよい。
【０１１３】
図１１は、本発明に係るネイバー接続サービスに応じてブログをネイバーに追加する場合、ログイン状態である場合に追加したネイバーグループを選択する画面の一例を示す図である。
【０１１４】
図１１を参照すると、ネイバー接続サービスシステム１００は、当該ブログをネイバーに追加要求したユーザがログイン状態である場合、ネイバーに追加したネイバー人数１１１０を表示してネイバーブログを追加するためのメニューウィンドウ１１２０を提供する。ネイバーブログを追加するためのメニューウィンドウ１１２０は、追加したネイバーを管理１１２１、ネイバーコネクトウィジェットをインストール１１２２、追加したネイバーグループを選択１１２３メニュー、追加したネイバーグループを選択１２２４ウィンドウ、および確認１１２５メニューを含む。
【０１１５】
ネイバー接続サービスシステム１００は、ネイバー接続サービスが完了すると当該ブログをネイバーに追加完了確認のウィンドウをネットワーク１１０によって接続されたユーザ端末１２０に提供してもよい。
【０１１６】
図１２は、本発明に係るネイバー接続サービスにおいてユーザをネイバーに追加したブログの分布を示す図である。
【０１１７】
図１２を参照すると、ネイバーコネクト１２００は、当該ブログをネイバーに追加したブログを各サービスを提供する事業者ごとに分類して分布度を提供してもよく、分布度の表現方式は、円形、棒型、折れ線グラフなどのように様々な形態に提供されてもよい。ネイバー接続サービス提供システム１００は、当該ブログをネイバーに追加した場合、追加したネイバー数、追加したブログ分布、ウィジェットインストールしたブログのうち当該ブログをネイバーに追加したネイバー数のランキングなどのような各種の情報をネットワーク１１０によってユーザ端末１２０に提供してもよい。追加したブログ分布は、ネイバーコネクトをインストールしたユーザのうち代表ブログのブログアドレスを基準にして当該ブログを追加したネイバーリストを抽出し、代表ブログを基準にして分布を出してグラフとして提供し、グラフの形態はユーザの要求に応じて様々な形態で提供され、把握できないアドレスや独立ドメインである場合、その他に分類してもよい。
【０１１８】
ネイバー数ランキングは、内部ブログを代表ブログとして用いるランキングと外部ブログを代表ブログとして用いるランキングとに分離してもよい。同一ランキングの表記が２つ存在する場合があり、ウィジェットをインストールしたブログのみを対象にして追加したネイバー人数のとおりにランキングを指定してもよい。ランキングの対象は、代表ブログに選択されたブログ間のランキング競争に参加してもよい。一例として、１０万人のユーザを追加したネイバーが既にいるブロガーは、Ａ社およびＢ社でブログを同時に運用中である場合、ウィジェットも全てインストールされた場合にランキング競争に参加してもよい。他の一例として、ブロガーがＡ社を代表ブログに選定した状態であれば、Ａ社ランキングでのみ１位であり、代表ブログではないＢ社ではランキング対象から除外されてランキングリストもウィジェットから見られないこともある。ランキング対象者であってもランキングを見せたくないブロガーのためにランキングをオン／オフする機能を選択するよう提供してもよく、更新時間も設定してもよい。
【０１１９】
図１３は、本発明に係るネイバー接続サービスにおいてネイバーコネクトウィジェットのもっと見るページでの新規文書閲覧の一例を示す図である。
【０１２０】
図１３を参照すると、ネイバーコネクトのもっと見るページ１３００は、独立した別のページで構成してもよく、新規文書閲覧１３１０、ユーザが追加したネイバー（私が追加したネイバー）１３２０、ユーザを追加したネイバー（私を追加したネイバー）１３３０、開放されたネイバー管理１３４０、およびウィジェット管理１３５０を備え、全体ネイバーグループのうち、最近に新規文書が更新されたネイバーを更新された順に表示してもよい。ネイバーコネクトのもっと見るページ１３００は、ＵＲＬをブログの下部に構成してもよく、ログインすることなく誰でも見ることができるメニューとしてユーザが追加したネイバー（私が追加したネイバー）１３２０、ユーザを追加したネイバー（私を追加したネイバー）１３３０の統計、および新規文書閲覧を提供し、ログインしなければ閲覧できないメニューとして開放されたネイバー管理１３４０、ウィジェット管理１３５０、およびユーザを追加したネイバーリストを含んでもよい。他の人がもっと見るページにおいて、ログインした場合、ログインしていない状態でアクセスした場合に見ることができるメニューと同一であり、ブログの持ち主にのみ見られるメニューに対する警報メッセージを提供してもよく、下段ページングはブログに用いる基本ページングであってもよい。
【０１２１】
図１４は、本発明の実施形態に係るネイバー接続サービス方法の動作を示す図である。
【０１２２】
図１および図１４を参照すると、ステップＳ１４１０において、ネイバー接続サービスシステム１００は、内部ブログまたは外部ブログ間のネイバー関係を設定する。内部ブログは自社サービスに加入したユーザのブログであり、外部ブログは他社サービスに加入したユーザのブログである。一例として、内部ブログは、ネイバー接続サービスシステム１００を管理するＡ社の加入者のブログであり、外部ブログは、ネイバー接続サービスシステム１００を管理しないＢ社の加入者のブログであってもよい。すなわち、ステップＳ１４１０において、ネイバー接続サービスシステム１００は、ネットワーク１１０によって接続されたユーザ端末１２０が当該ブログに対してネイバー追加を要求すると、ネイバー追加要求された内部ブログまたは外部ブログとユーザ端末１２０のユーザが運用するブログとの間のネイバー関係を設定する。
【０１２３】
一例として、ステップＳ１４１０において、ネイバー接続サービスシステム１００は、内部ブログを運用してネイバー接続サービスを使用中であるユーザ端末から現在の接続中である外部ブログに対するネイバー追加要求を受信することをさらに含み、受信されたネイバー追加要求に応じて現在接続中である外部ブログをユーザに対するネイバーグループに設定してもよい。
【０１２４】
他の一例として、ステップＳ１４１０において、ネイバー接続サービスシステム１００は、ネイバー接続サービスを提供する外部ブログを用いるユーザ端末１２０からネイバー接続サービスを提供する内部ブログに対するネイバー追加要求を受信するステップをさらに含み、外部ブログを内部ブログのネイバーグループにネイバー関係を設定してもよい。
【０１２５】
図１５は、本発明に係るネイバー接続サービスでブログ間のネイバー関係を設定するステップを具体化した一例を示す図である。
【０１２６】
図１および図１５を参照すると、ステップＳ１５１０において、ネイバー接続サービスシステム１００は、ネイバー接続サービスを提供するブログに接続されたネイバー接続サービスを使用していないユーザ端末１２０からネイバー追加要求を受信する。
【０１２７】
ステップＳ１５２０において、ネイバー接続サービスシステム１００は、ネイバー追加要求に応じてネイバー接続サービスをユーザ端末１２０に案内する。
【０１２８】
ステップＳ１５３０において、ネイバー接続サービスシステム１００は、ユーザからネイバー接続サービスが要求されると、ネイバー接続サービスを提供するネイバー接続プログラムをユーザ端末１２０にインストールする。
【０１２９】
ステップＳ１５４０において、ネイバー接続サービスシステム１００は、インストールされたネイバー接続サービスプログラムによって外部ブログとネイバー関係を設定する。
【０１３０】
他の一例として、ステップＳ１４１０において、ネイバー接続サービスシステム１００は、ネイバー接続サービスを提供する外部ブログを用いるユーザ端末１２０からネイバー接続サービスを使用していない内部ブログに対するネイバー追加要求を受信し、内部ブログに対してネイバー接続サービスを案内し、内部ブログを用いるユーザ端末１２０からネイバー接続サービスに対するプログラムインストールが要求されると、ネイバー接続サービスプログラムを内部ブログにインストールすることをさらに含み、インストールされたネイバー接続サービスプログラムに外部ブログと内部ブログとの間のネイバー関係を設定してもよい。
【０１３１】
他の一例として、ステップＳ１４１０において、ネイバー接続サービスシステム１００は、ユーザ端末１２０からネイバー接続サービスプログラムに対するスクラップが選択されると、ネイバー接続サービスプログラムをインストールするためのサイトに移動し、ネイバー接続サービスプログラムをインストールするためのサイトにおいて当該プログラムをインストールしたユーザのプログラムが選択されると、ネイバー接続サービスプログラムインストールサイトにおいてユーザによって選択されたネイバー接続サービスプログラムのインストールページに移動し、ネイバー接続サービスプログラムをユーザ端末１２０にインストールするステップをさらに含んでもよい。
【０１３２】
ステップＳ１４２０において、ネイバー接続サービスシステム１００は、ネイバー接続サービスに応じてネイバー関係として設定されたブログに関する情報を提供する。一例として、ネイバー接続サービスは、ブログのユーザが追加したネイバー、ユーザをネイバーに追加したネイバー、ブログを訪問したユーザを表してもよい。他の一例として、ネイバー接続サービスは、ネイバー接続サービスプログラムによって外部ブログで独立に用いられ、外部ブログのユーザが他の外部ブログとの接続にも用いられてもよい。また他の一例として、ネイバー接続サービスは、新規ユーザ数を増やすために持続的に露出し、決められた基準よりも多くのネイバーを追加するため、ネイバー追加機能を既存のサービスよりも単純化して１つのユーザＩＤで複数のネイバー接続サービスプログラムを使用可能にする。また他の一例として、ネイバー接続サービスは、ネイバー関係が設定されたユーザの個人情報に対する保安、認証、または公開機能を提供してもよい。また他の一例として、ネイバー接続サービスは、新規文書お知らせ機能によってユーザが登録したネイバーの新規文書、他人が登録したネイバーの新規文書を確認してもよく、ネイバー接続サービスプログラムによってネイバー管理または新規文書管理を行なってもよく、ネイバー統計機能を提供してもよい。
【０１３３】
本発明の実施形態に係る方法は、多様なコンピュータ手段を介して様々な処理を実行することができるプログラム命令の形態で実現され、コンピュータ読取可能な記録媒体に記録されてもよい。コンピュータ読取可能な媒体は、プログラム命令、データファイル、データ構造などのうちの１つまたはその組み合わせを含んでもよい。媒体に記録されるプログラム命令は、本発明の目的のために特別に設計されて構成されたものでもよく、コンピュータソフトウェア分野の技術を有する当業者にとって公知のものであり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、光ディスクのような光磁気媒体、及びＲＯＭ、ＲＡＭ、フラッシュメモリなどのようなプログラム命令を保存して実行するように特別に構成されたハードウェア装置が含まれてもよい。プログラム命令の例としては、コンパイラによって生成されるような機械語コード（ｍａｃｈｉｎｅ  ｃｏｄｅ）だけでなく、インタプリタなどを用いてコンピュータによって実行され得る高級言語コード（ｈｉｇｈｅｒ  ｌｅｖｅｌ  ｃｏｄｅ）を含む。上述したハードウェア装置は、本発明の動作を行うために１つ以上のソフトウェアのレイヤで動作するように構成されてもよい。
【０１３４】
上述したように本発明を限定された実施形態と図面によって説明したが、本発明は、上記の実施形態に限定されることなく、本発明が属する分野における通常の知識を有する者であれば、このような実施形態から多様な修正及び変形が可能である。
【０１３５】
したがって、本発明の範囲は、開示された実施形態に限定されるものではなく、特許請求の範囲だけではなく特許請求の範囲と均等なものなどによって定められるものである。
【符号の説明】
【０１３６】
１００      ネイバー接続サービスシステム
１１０      ネットワーク
１２０      ユーザ端末
【図１】
0005936827.tif 000002
【図２】
0005936827.tif 000003
【図３】
0005936827.tif 000004
【図４】
0005936827.tif 000005
【図５】
0005936827.tif 000006
【図６】
0005936827.tif 000007
【図７】
0005936827.tif 000008
【図８】
0005936827.tif 000009
【図９】
0005936827.tif 000010
【図１０】
0005936827.tif 000011
【図１１】
0005936827.tif 000012
【図１２】
0005936827.tif 000013
【図１３】
0005936827.tif 000014
【図１４】
0005936827.tif 000015
【図１５】
0005936827.tif 000016